(57)【要約】【課題】  部品点数の増加を抑制しつつ、オットマン本体の支持強度を好適に確保することができるオットマン装置を提供する。【解決手段】  オットマン装置３は、取付ブラケット５，６に回動自在に支持されてオットマン本体１０を支持する主回動リンク１３，１４を備えている。オットマン装置３は、主回動リンク１３，１４の一側又は他側への回動に伴いオットマン本体１０をシート前方に展開し、又は、シートに格納する。主回動リンク１３，１４は、シート幅方向で一対をなして配設されている。オットマン装置３は、主回動リンク１３の回動を規制又は許容するロック装置２１と、主回動リンク１３，１４を連結するトルクロッド２２とを備えている。【選択図】      図１
2006198104.tif 000002
【特許請求の範囲】
【請求項１】
シート前縁に回動自在に支持されてオットマン本体を支持する回動リンクを備え、該回動リンクの一側又は他側への回動に伴い該オットマン本体をシート前方に展開し、又は、シートに格納するオットマン装置において、
前記回動リンクは、シート幅方向で一対をなして配設されており、
前記一対の回動リンクのいずれか一方の回動を規制又は許容するロック装置と、
前記一対の回動リンクを連結するトルクロッドとを備えたことを特徴とするオットマン装置。
【請求項２】
請求項１に記載のオットマン装置において、
前記オットマン本体をシート前方に展開する側に付勢する付勢手段を備えたことを特徴とするオットマン装置。
【請求項３】
請求項１又は２に記載のオットマン装置において、
少なくとも前記回動リンクを有するリンク装置を備え、
前記トルクロッドに連結される前記一対の回動リンクは、前記リンク装置の最内側に配置されていることを特徴とするオットマン装置。
【発明の詳細な説明】
【技術分野】
【０００１】
本発明は、オットマン本体をシート前方に展開し、又は、シートに格納するオットマン装置に関するものである。
【背景技術】
【０００２】
従来、オットマン装置としては、例えば特許文献１に記載されたものが知られている。このオットマン装置は、シート下部に配置したスクリュー（２２）の回転によりナット（２３）を前後進させ、これに連結した主リンク（２６）とリンク装置を構成する回動リンク（９Ａ，９Ｂ）を揺動させることで、オットマン本体（１０）を格納状態から展開状態までの間で調整可能としている。
【特許文献１】特開２０００−２０１７７２号公報（第１図−第５図）
【発明の開示】
【発明が解決しようとする課題】
【０００３】
ところで、このオットマン装置は、オットマン本体の位置調整・保持のためのスクリューを備えているが、シート下部に大きな搭載スペースを必要とするため、ボディ（車両フロア）からシート着座面までの距離（高さ）を低く抑えたい場合には、事実上、その設置が不可能となる。
【０００４】
また、このオットマン装置の構造では、展開状態のオットマン本体に対し下向き又は前向きの過大な外力が加わったときに、この外力を２つの回動リンクと主リンクとで支えることになる。この場合、スクリューとナットとは前後方向に係止されるが、主リンクとナットとは回動自在に嵌合されるため、特に前向きの外力が加わったときに、単にリンクの剛性のみでオットマン本体を支えてその姿勢を保持する必要がある。これは、全てのリンクが回動自在であって、明確なロック部分がないことによる。従って、オットマン本体の支持強度を確保するためには、各リンクの大幅な厚肉化を図る必要がある。
【０００５】
さらに、オットマン本体の展開位置を更に上方に変更・設定したい場合には、回動リンクを一層長くし、かつ、両リンク間の距離（ピッチ）を短くする必要があり、オットマン本体の姿勢保持には一層不利となる。
【０００６】
さて、このような従来文献の問題点を鑑みて、オットマン本体を支持する、その展開・格納に係る回動リンクをシート前縁に回動自在に支持し、更に回動リンクの姿勢（回動角度）を直に保持するためのロック装置を設けることが提案されている。そして、オットマン本体の支持強度を確保するために、回動リンクをシートの幅方向で一対となるように配設することも提案されている。
【０００７】
しかしながら、シートの幅方向で対をなす各回動リンクに対応して複雑な構造をなすロック装置を配設する場合には、部品点数が増加してコストの増大を余儀なくされる。
本発明の目的は、部品点数の増加を抑制しつつ、オットマン本体の支持強度を好適に確保することができるオットマン装置を提供することにある。
【課題を解決するための手段】
【０００８】
上記問題点を解決するために、請求項１に記載の発明は、シート前縁に回動自在に支持されてオットマン本体を支持する回動リンクを備え、該回動リンクの一側又は他側への回動に伴い該オットマン本体をシート前方に展開し、又は、シートに格納するオットマン装置において、前記回動リンクは、シート幅方向で一対をなして配設されており、前記一対の回動リンクのいずれか一方の回動を規制又は許容するロック装置と、前記一対の回動リンクを連結するトルクロッドとを備えたことを要旨とする。
【０００９】
請求項２に記載の発明は、請求項１に記載のオットマン装置において、前記オットマン本体をシート前方に展開する側に付勢する付勢手段を備えたことを要旨とする。
請求項３に記載の発明は、請求項１又は２に記載のオットマン装置において、少なくとも前記回動リンクを有するリンク装置を備え、前記トルクロッドに連結される前記一対の回動リンクは、前記リンク装置の最内側に配置されていることを要旨とする。
【発明の効果】
【００１０】
以上詳述したように、請求項１に記載の発明では、前記オットマン本体の展開・格納に係る回動リンクは、シート幅方向で一対をなして配設されることで、該回動リンクによる該オットマン本体の支持強度を好適に確保できる。特に、シート前方に展開される前記オットマン本体は、シート前縁に回動自在に支持される前記回動リンクに支持されるため、例えば展開状態で該オットマン本体に外力が加わったとしても、該回動リンクの回動中心から外力までの距離は短くなり、これに対応して該回動リンクに生じるトルクも自ずと低減される。また、いずれか一方の回動リンクにのみ、その回動を規制又は許容するロック装置を設け、いずれか他方の回動リンクへの回転伝達（回動の規制又は許容）を、単純な剛体であるトルクロッドを介して行うことで、部品点数の増大も抑制することができる。
【００１１】
請求項２に記載の発明では、前記オットマン本体は、前記付勢手段によりその展開側に付勢されることで、その展開を軽微な操作力又は自動で行うことができる。
請求項３に記載の発明では、前記トルクロッドに連結される前記一対の回動リンクが、前記リンク装置の最内側に配置されることで、前記リンク装置ひいてはオットマン装置の組付けを容易にすることができる。
【発明を実施するための最良の形態】
【００１２】
（第１の実施形態）
以下、本発明を具体化した第１の実施形態について図面に従って説明する。
図６は、本発明が適用される自動車などの車両に搭載されるシートとしての車両用シート装置１を概略的に示す側面図である。同図に示されるように、この車両用シート装置１が備えるシートクッション２には、その前縁下部から後方に凹設された収納凹部２ａが形成されており、同収納凹部２ａに対応してオットマン装置３が後述する態様で支持されている。このオットマン装置３は、図６に示す格納状態において、上記収納凹部２ａを閉塞するように配置されている。上記オットマン装置３は、展開状態において、シートクッション２の前方に伸張される。
【００１３】
図１及び図２は、オットマン装置３の展開状態及び格納状態を、車両用シート装置１の前方に向かって左側から見た各側面図である。同図に示されるように、車両用シート装置１は、その前縁に前記シートクッション２を支持するシートフレーム４を備えている。そして、図３及び図４に、図２のＡ−Ａ線に沿った断面図及び展開状態の平面図をそれぞれ示したように、上記シートフレーム４には、シート幅方向（図３の左右方向）で一対をなす取付ブラケット５，６が固着されている。そして、図４に示すように、前記オットマン装置３は、展開状態において足載せ台となるオットマン本体１０と、各取付ブラケット５，６に連結されて同オットマン本体１０を支持する一対のリンク装置１１と、付勢手段としての一対の引張りコイルスプリング１２とを備えている。
【００１４】
詳述すると、車両用シート装置１の前方に向かって左側（図４の下側）に配置されるリンク装置１１は、一方の取付ブラケット５にロック装置２１を介して支持された第１回動リンクとしての主回動リンク１３と、同取付ブラケット５に回動自在に支持された第２回動リンクとしての副回動リンク１５と、第１揺動リンク１６と、第２揺動リンク１７とを備えている。なお、上記ロック装置２１は、取付ブラケット５に対する主回動リンク１３の回動を規制又は許容（ロック・アンロック）するためのものである。また、車両用シート装置１の前方に向かって右側（図４の上側）に配置されるリンク装置１１は、上述の左側に配置されるリンク装置１１と実質的に同一の運動特性を有しており、前記主回動リンク１３に代えて、他方の取付ブラケット６に回動自在に支持された第１回動リンクとしての主回動リンク１４を備えている。
【００１５】
前記主回動リンク１３，１４は、シート幅方向に伸びる同一の回動中心Ｏ１を有して、取付ブラケット５，６の一側（図１の左上側）に配置・支持されている。これら主回動リンク１３，１４は、一方の主回動リンク１３が前記ロック装置２１と接合しうるように成形されていることを除き、互いに同一の形状を有している。
【００１６】
ここで、前記一対のリンク装置１１は、主回動リンク１３，１４を除いて互いに同様の形状を有しているため、以下では車両用シート装置１の前方に向かって左側に配置されるリンク装置１１を代表して説明し、右側に配置されるリンク装置１１については括弧内の符号のみを併記しておく。
【００１７】
前記副回動リンク１５は、シート幅方向に伸びる回動中心Ｏ２を有して、取付ブラケット５（６）の他側（図１の右下側）に配置・支持されている。前記第１揺動リンク１６は、一側（図１の右下側）の端部１６ａが前記主回動リンク１３（１４）の先端部１３ａ（１４ａ）に回動自在に支持されており、他側（図１の左上側）の端部１６ｂが前記オットマン本体１０に固着された支持ブラケット１８の一側（前側）の端部１８ａ（図５参照）を回動自在に支持している。一方、前記第２揺動リンク１７は、一側（図１の右下側）の端部１７ａが前記副回動リンク１５の先端部１５ａに回動自在に支持されており、他側（図１の左上側）の端部１７ｂが上記支持ブラケット１８の他側（後側）の端部１８ｂ（図５参照）を回動自在に支持している。この第２揺動リンク１７は、その中間部１７ｃにおいて、前記主回動リンク１３（１４）の中間部１３ｂ（１４ｃ）に回動自在に連結されている。
【００１８】
つまり、前記オットマン本体１０をシート前縁（取付ブラケット５，６）に連結するリンク装置１１は、いわゆるＸアーム式機構をなしており、同オットマン本体１０の格納状態及び展開状態の間の動作を規定する。例えば、図１に示した展開状態において、前記副回動リンク１５が一側方向（図１において反時計回転方向）に回動すると、前記第２揺動リンク１７を介して主回動リンク１３（１４）も同方向に回動する。そして、前記第１及び第２揺動リンク１６，１７は、その先端（端部１６ｂ，１７ｂ）をシート後方に引き込むように折り畳まれ、これら第１及び第２揺動リンク１６，１７に支持されたオットマン本体１０は、前記収納凹部２ａに配置・格納される（図２参照）。
【００１９】
一方、図２に示した格納状態において、前記副回動リンク１５が他側方向（図２において時計回転方向）に回動すると、前記第２揺動リンク１７を介して主回動リンク１３（１４）も同方向に回動する。そして、前記第１及び第２揺動リンク１６，１７はシート前方に伸張され、これら第１及び第２揺動リンク１６，１７に支持されたオットマン本体１０は、シート前方に配置・展開される（図１参照）。
【００２０】
なお、前記ロック装置２１は、前記取付ブラケット５に対する主回動リンク１３の回動角度を調整・保持するための周知のロック・アンロック機構である。本実施形態では、ロック装置２１として、シートクッションに対してシートバックの傾斜角度を調整・保持するための汎用のロック・アンロック機構（いわゆるリクライニング機構）を流用している。概略的に説明すると、上記ロック装置２１は、前記回動中心Ｏ１と同軸で前記取付ブラケット５に接合された有底円筒状の外輪部材と、この外輪部材に軸支されて前記主回動リンク１３に接合された有底円筒状の内輪部材と、これら外輪部材及び内輪部材の相対回動を規制又は許容するロック部材とを備えている。そして、図５にオットマン装置３の斜視図を示したように、取付ブラケット５には、上記ロック装置２１のロック部材と係合する解除用リンク２５が支持されている。上記ロック装置２１は、この解除用リンク２５の一側又は他側への回動に伴うロック部材の作動によって、外輪部材及び内輪部材の相対回動、即ち取付ブラケット５及び主回動リンク１３の相対回動を許容又は規制する。なお、上記ロック部材は、基本的にこれらの相対回動を規制する側に復帰させるべく、図示しない付勢部材にて付勢されている。
【００２１】
図５に示されるように、シート前縁の一側（車両用シート装置１の前方に向かって左側）には、操作レバー２３が設けられており、この操作レバー２３は、伝達ケーブル２４を介して前記解除用リンク２５に連結されている。前記解除用リンク２５は、上記操作レバー２３を操作することでその操作力が伝達ケーブル２４を介して伝達され、一側に回動するようになっている。また、前記解除用リンク２５は、上記操作レバー２３の操作を解放することで、他側に回動する（復帰する）ようになっている。つまり、前記主回動リンク１３は、操作レバー２３を操作することでロック装置２１を介して取付ブラケット５に対する相対回動が許容され、オットマン本体１０の位置調整が可能となる。また、前記主回動リンク１３は、操作レバー２３の操作を解放することでロック装置２１を介して取付ブラケット５に対する相対回動が規制され、オットマン本体１０の保持が可能となる。
【００２２】
ここで、前記ロック装置２１の内輪部材に接合された一方の主回動リンク１３と、他方の主回動リンク１４とは、シート幅方向に軸線が伸びる円柱体のトルクロッド２２にて一体に連結されている。このトルクロッド２２の軸線は、前記回動中心Ｏ１から径方向にずらされて配置されている。このトルクロッド２２は、主回動リンク１３の回動を主回動リンク１４に伝達するためのもので、例えば主回動リンク１３の回動に連動して、主回動リンク１４を回動させる。また、上記トルクロッド２２は、前記ロック装置２１により主回動リンク１３の回動を規制する際に、これに併せて主回動リンク１４の回動を規制する。つまり、本実施形態では、一方の主回動リンク１３にのみ、その回動を規制又は許容するロック装置２１を設け、主回動リンク１４への回転伝達（回動の規制又は許容）を、単純な剛体であるトルクロッド２２を介して行っている。
【００２３】
前記一対のコイルスプリング１２は、前記オットマン本体１０をシート前方に展開する側に付勢する付勢力（スプリング力）を有して、前記取付ブラケット５，６及び副回動リンク１５間に介在している。詳述すると、図４及び図５に示すように、前記取付ブラケット５，６の各先端には、係止溝５ａ，６ａが形成されており、これら取付ブラケット５，６間は、各係止溝５ａ，６ａに一端及び他端が接合されたシート側係止棒２６にて橋渡しされている。一方、前記一対の副回動リンク１５間は、各副回動リンク１５に一端及び他端が接合されたリンク側係止棒２７にて橋渡しされている。このリンク側係止棒２７は、副回動リンク１５の長手方向に略コ字状に突出するように曲成されている。そして、前記コイルスプリング１２は、一方のばねフック１２ａが上記シート側係止棒２６に係止され、他方のばねフック１２ｂが上記シート側係止棒２６に係止されている。これらコイルスプリング１２は、シート幅方向で略均等に配置されている。上記コイルスプリング１２は、軸方向に引っ張る側の付勢力を有しており、図１及び図２に示すように、格納状態で最大長となるように伸張され、オットマン本体１０の展開に伴う前記副回動リンク１５の一側（図２における時計回転方向）への回動に応じて徐々に短くなるように配置されている。これらコイルスプリング１２は、その付勢力にてオットマン本体１０の展開を助勢する。
【００２４】
次に、上記オットマン装置３の動作を総括して説明する。まず、オットマン本体１０が図２に示す格納状態にあるものとする。このとき、前記操作レバー２３の操作により、伝達ケーブル２４を介して解除用リンク２５が一側に回動すると、前記主回動リンク１３は、前記ロック装置２１を介して取付ブラケット５に対する相対回動が許容される。そして、前記コイルスプリング１２により助勢されて、前記副回動リンク１５は一側（図２の時計回転方向）に回動する。これに伴い、副回動リンク１５とともにリンク装置１１を構成する主回動リンク１３，１４、第１及び第２揺動リンク１６，１７も回動し、オットマン本体１０は自動的にシート前方に展開される。なお、リンク装置１１の作動（副回動リンク１５の回動）に伴う主回動リンク１３の回動は、前記トルクロッド２２を介して主回動リンク１４の回動に連動することは既述のとおりである。
【００２５】
前記操作レバー２３の操作の解放により、伝達ケーブル２４を介して解除用リンク２５が他側に回動する（復帰する）と、前記主回動リンク１３は、前記ロック装置２１を介して取付ブラケット５に対する相対回動が規制される。そして、オットマン本体１０は、展開状態で保持される。なお、主回動リンク１３の回動規制は、前記トルクロッド２２を介して主回動リンク１４の回動規制に連動することは既述のとおりである。
【００２６】
一方、オットマン本体１０が図１に示す展開状態にあるとき、前記操作レバー２３の操作により、伝達ケーブル２４を介して解除用リンク２５が一側に回動すると、前記主回動リンク１３は、前記ロック装置２１を介して取付ブラケット５に対する相対回動が許容される。このとき、オットマン本体１０を後方に押し下げると、リンク装置１１を構成する前記副回動リンク１５は前記コイルスプリング１２の付勢力に抗して他側（図１の反時計回転方向）に回動する。これに伴い、オットマン本体１０は、シート前縁下部に格納される。前記操作レバー２３の操作の解放により、オットマン本体１０は、格納状態で保持されることはいうまでもない。
【００２７】
以上詳述したように、本実施形態によれば、以下に示す効果が得られるようになる。
（１）本実施形態では、前記オットマン本体１０の展開・格納に係るリンク装置１１（主回動リンク１３，１４等）は、シート幅方向で一対をなして配設されることで、同リンク装置１１による同オットマン本体１０の支持強度を好適に確保できる。特に、シート前方に展開される前記オットマン本体１０は、シート前縁に個別に回動自在に支持される前記主回動リンク１３，１４及び副回動リンク１５に、前記第１及び第２揺動リンク１６，１７を介して支持されるため、例えば展開状態で同オットマン本体１０に外力が加わったとしても、これら主回動リンク１３，１４及び副回動リンク１５の各回動中心Ｏ１，Ｏ２から外力までの距離は短くなり、これに対応して同主回動リンク１３，１４及び副回動リンク１５に生じるトルクも自ずと低減される。また、前記一対のリンク装置１１のいずれか一方の主回動リンク１３にのみ、その回動を規制又は許容するロック装置２１を設け、いずれか他方の主回動リンク１４への回転伝達（回動の規制又は許容）を、単純な剛体であるトルクロッド２２を介して行うことで、部品点数の増大も抑制することができる。
【００２８】
さらに、前記オットマン本体１０の展開・格納を、基本的にシート前縁における主回動リンク１３，１４及び副回動リンク１５の回動に伴うリンク装置１１の動作のみで実現したことで、例えば特許文献１のように軸方向（前後方向）への直線移動機構を設ける必要がなく、シート下部に確保すべき搭載スペースも低減することができる。
【００２９】
（２）本実施形態では、前記オットマン本体１０は、その展開側に前記コイルスプリング１２により前記副回動リンク１５が付勢されることで、その展開を自動で行うことができる。
【００３０】
（３）本実施形態では、前記一対のリンク装置１１の主回動リンク１３，１４が、同リンク装置１１において最内側に配置されることで、前記トルクロッド２２にて両主回動リンク１３，１４を容易に連結することができる。このため、リンク装置１１ひいてはオットマン装置３（オットマン本体１０）の組付けを容易にすることができる。
【００３１】
（第２の実施形態）
以下、本発明を具体化した第２の実施形態について図面に従って説明する。なお、第２の実施形態は、第１の実施形態の一対の引張りコイルスプリング１２に代えて、トーションスプリング（ねじりコイルスプリング）を採用した構成であるため、同様の部分についてはその詳細な説明は省略する。
【００３２】
図７及び図８は、本実施形態のオットマン装置３０の展開状態及び格納状態を、車両用シート装置１の前方に向かって左側から見た各側面図であり、図９は、図７のＢ−Ｂ線に沿った断面図である。同図に示されるように、前記シートフレーム４には、シート幅方向（図９の左右方向）で一対をなす取付ブラケット３１，３２が固着されている。そして、前記オットマン装置３０は、前記オットマン本体１０と、前記リンク装置１１に準じた一対のリンク装置３３と、付勢手段としてのトーションスプリング３７とを備えている。
【００３３】
車両用シート装置１の前方に向かって左側（図７において紙面に直交する手前側）に配置されるリンク装置３３は、一方の取付ブラケット３１に前記ロック装置２１を介して支持された主回動リンク３４と、同取付ブラケット３１に回動自在に支持された副回動リンク３６と、前記第１及び第２揺動リンク１６，１７とを備えている。また、車両用シート装置１の前方に向かって右側（図７において紙面に直交する奥側）に配置されるリンク装置３３は、上述の左側に配置されるリンク装置３３と実質的に同一の運動特性を有しており、前記主回動リンク３４に代えて、他方の取付ブラケット３２に回動自在に支持された主回動リンク３５を備えている。
【００３４】
前記主回動リンク３４，３５は、前記回動中心Ｏ１を有して、取付ブラケット３１，３２の一側（図７の左上側）に配置・支持されている。これら主回動リンク３４，３５は、一方の主回動リンク３４が前記ロック装置２１と接合しうるように成形されていることを除き、互いに同一の形状を有している。
【００３５】
前記副回動リンク３６は、前記回動中心Ｏ２を有して、取付ブラケット３１（３２）の他側（図７の右下側）に配置・支持されている。この副回動リンク３６の底面は、長手方向に平坦に伸びるガイド面３６ａを形成している。このガイド面３６ａは、トーションスプリング３７の一端の摺動を案内するためのものである。
【００３６】
なお、上記主回動リンク３４，３５及び副回動リンク３６による前記第１及び第２揺動リンク１６，１７の支持態様等は、前記第１の実施形態と同様であるため、その説明を割愛する。
【００３７】
本実施形態において、前記ロック装置２１の内輪部材に接合された一方の主回動リンク３４と、他方の主回動リンク３５とを一体に連結する円柱体のトルクロッド３８は、前記回動中心Ｏ１と同軸でシート幅方向に伸びている。そして、図９に示したように、前記トーションスプリング３７は、前記オットマン本体１０をシート前方に展開する側に付勢する付勢力を有して、左側の取付ブラケット３２及び右側の副回動リンク３６間に介在している。
【００３８】
詳述すると、前記取付ブラケット３２の先端には、係止片３２ａが形成されている。この係止片３２ａには、前記トルクロッド３８にそのコイル部３７ａが挿通されたトーションスプリング３７の一方のばねフック３７ｂが係止されている。上記トーションスプリング３７の他方のばねフック３７ｃは、前記ガイド面３６ａに圧接する態様で副回動リンク３６に係止されている。つまり、上記トーションスプリング３７は、トルクロッド３８に沿ってこれと同軸（回動中心Ｏ１）でシート幅方向に延在し、その一端（ばねフック３７ｂ）及び他端（ばねフック３７ｃ）がシート幅方向に離間されて係止されている。このトーションスプリング３７は、取付ブラケット３２に対して副回動リンク３６を一側方向（図７において時計回転方向）に回動する側の周方向の付勢力を有している。そして、図７及び図８に示すように、上記トーションスプリング３７は、格納状態で最大限に巻き締められ、オットマン本体１０の展開に伴う前記副回動リンク３６の一側への回動に応じて徐々に巻き戻されるように配置されている。上記トーションスプリング３７は、その付勢力にてオットマン本体１０の展開を助勢する。
【００３９】
次に、上記オットマン装置３０の動作を総括して説明する。まず、オットマン本体１０が図８に示す格納状態にあるものとする。このとき、前記操作レバー２３の操作により、伝達ケーブル２４を介して解除用リンク２５が一側に回動すると、前記主回動リンク３４は、前記ロック装置２１を介して取付ブラケット３１に対する相対回動が許容される。そして、前記トーションスプリング３７により助勢されて、前記副回動リンク３６は一側（図８の時計回転方向）に回動する。このとき、副回動リンク３６の回動に合わせて巻き戻されるトーションスプリング３７のばねフック３７ｃは、ガイド面３６ａに沿って副回動リンク３６の先端側に摺動する。そして、副回動リンク３６とともにリンク装置３３を構成する主回動リンク３４，３５、第１及び第２揺動リンク１６，１７も回動し、オットマン本体１０は自動的にシート前方に展開される。なお、リンク装置３３の作動（副回動リンク３６の回動）に伴う主回動リンク３４の回動は、前記トルクロッド３８を介して主回動リンク３５の回動に連動することはいうまでもない。
【００４０】
前記操作レバー２３の操作の解放により、伝達ケーブル２４を介して解除用リンク２５が他側に回動する（復帰する）と、前記主回動リンク３４は、前記ロック装置２１を介して取付ブラケット３１に対する相対回動が規制される。そして、オットマン本体１０は、展開状態で保持される。なお、主回動リンク３４の回動規制は、前記トルクロッド３８を介して主回動リンク３５の回動規制に連動することはいうまでもない。
【００４１】
一方、オットマン本体１０が図７に示す展開状態にあるとき、前記操作レバー２３の操作により、伝達ケーブル２４を介して解除用リンク２５が一側に回動すると、前記主回動リンク３４は、前記ロック装置２１を介して取付ブラケット５に対する相対回動が許容される。そして、オットマン本体１０を後方に押し下げると、リンク装置３３を構成する前記副回動リンク３６は前記トーションスプリング３７の付勢力に抗して他側（図７の反時計回転方向）に回動する。このとき、副回動リンク３６の回動に合わせて巻き締められるトーションスプリング３７のばねフック３７ｃは、ガイド面３６ａに沿って副回動リンク３６の基端側（回動中心Ｏ２側）に摺動する。そして、オットマン本体１０は、シート前縁下部に格納される。前記操作レバー２３の操作の解放により、オットマン本体１０は、格納状態で保持されることはいうまでもない。
【００４２】
以上詳述したように、本実施形態によれば、前記第１の実施形態の効果と同様の効果が得られるようになる。
なお、上記実施形態は以下のように変更してもよい。
【００４３】
・前記第１の実施形態において、引張りコイルスプリング１２に代えて、圧縮コイルスプリングを採用してもよい。また、コイルスプリングに限らず、板ばねなどであってもよい。要は、オットマン本体１０を展開側に付勢し得るのであればよい。
【００４４】
・前記第１の実施形態において、コイルスプリング１２は１個又は３個以上であってもよい。
・前記第２の実施形態において、トーションスプリング３７のばねフック３７ｂを対応する側の副回動リンク３６（ガイド面３６ａ）に係止し、ばねフック３７ｃを取付ブラケット３１に係止してもよい。要は、オットマン本体１０を展開側に付勢し得るのであればよい。
【００４５】
・前記各実施形態において、前記コイルスプリング１２又はトーションスプリング３７の付勢力を、前記副回動リンク１５又は３６に代えて、主回動リンク１３，１４又は３４，３５に加えるようにしてもよい。
【００４６】
・前記各実施形態において、前記コイルスプリング１２又はトーションスプリング３７の付勢力により、前記オットマン本体１０の展開を軽微な操作力で行えるようにしてもよい。
【００４７】
・前記各実施形態において、前記ロック装置２１を主回動リンク１３，３４（取付ブラケット５，３１）側に代えて、主回動リンク１４，３５（取付ブラケット６，３２）側に設けてもよい。
【００４８】
・前記各実施形態において、ロック装置２１を、一対の副回動リンク１５，３６のいずれか一方に設けてもよい。この場合、一対の副回動リンク１５，３６をトルクロッドにて一体に連結する。
【００４９】
・前記各実施形態において、前記ロック装置２１（解除用リンク２５）に対する操作力の伝達（ロック解除）を、例えば電動で行ってもよい。
・前記各実施形態において、ロック装置２１の構成は一例である。
【００５０】
・前記各実施形態において、リンク装置１１，３３の構成（Ｘアーム式機構）は一例であって適宜変更を加えてもよい。
・本発明を、例えば列車などに搭載されるシートに適用してもよい。
【００５１】
次に、上記実施形態及び別例から把握できる技術的思想について、それらの効果とともに以下に追記する。
（イ）シート前縁に個別に回動自在に支持された第１回動リンク及び第２回動リンクと、一側端部が前記第１及び第２回動リンクの先端部にそれぞれ回動自在に支持されるとともに、他側端部がオットマン本体の前後をそれぞれ回動自在に支持する第１揺動リンク及び第２揺動リンクとを有し、該第１回動リンクの中間部及び該第２揺動リンクの中間部が回動自在に連結されたリンク装置を備え、前記第１回動リンクの一側又は他側への回動に伴い該オットマン本体をシート前方に展開し、又は、シートに格納するオットマン装置において、
前記リンク装置は、シート幅方向で一対をなして配設されており、
前記一対のリンク装置のいずれか一方の前記第１回動リンクの回動を規制又は許容するロック装置と、
前記一対のリンク装置の第１回動リンクを連結するトルクロッドとを備えたことを特徴とするオットマン装置。この技術的思想によれば、前記オットマン本体の展開・格納に係るリンク装置は、シート幅方向で一対をなして配設されることで、該リンク装置による該オットマン本体の支持強度を好適に確保できる。特に、シート前方に展開される前記オットマン本体は、シート前縁に個別に回動自在に支持される前記第１及び第２回動リンクに、前記第１及び第２揺動リンクを介して支持されるため、例えば展開状態で該オットマン本体に外力が加わったとしても、該第１及び第２回動リンクの各回動中心から外力までの距離は短くなり、これに対応して該第１及び第２回動リンクに生じるトルクも自ずと低減される。また、前記一対のリンク装置のいずれか一方の前記第１回動リンクにのみ、その回動を規制又は許容するロック装置を設け、いずれか他方の第１回動リンクへの回転伝達（回動の規制又は許容）を、単純な剛体であるトルクロッドを介して行うことで、部品点数の増大も抑制することができる。
【００５２】
さらに、前記オットマン本体の展開・格納を、基本的にシート前縁における第１及び第２回動リンクの回動に伴うリンク装置の動作のみで実現したことで、例えば特許文献１のように軸方向（前後方向）への直線移動機構を設ける必要がなく、シート下部に確保すべき搭載スペースも低減することができる。
【００５３】
（ロ）上記（イ）に記載のオットマン装置において、
前記オットマン本体をシート前方に展開する側に前記第２回動リンクを付勢する付勢手段を備えたことを特徴とするオットマン装置。この技術的思想によれば、前記オットマン本体は、その展開側に前記付勢手段により前記第２回動リンクが付勢されることで、その展開を軽微な操作力又は自動で行うことができる。
【００５４】
（ハ）上記（イ）又は（ロ）に記載のオットマン装置において、
前記一対のリンク装置の第１回動リンクは、該リンク装置において、最内側に配置されていることを特徴とするオットマン装置。この技術的思想によれば、前記一対のリンク装置の第１回動リンクが、該リンク装置において最内側に配置されることで、前記トルクロッドにて両第１回動リンクを容易に連結することができる。
【図面の簡単な説明】
【００５５】
【図１】本発明の第１の実施形態を示す側面図。
【図２】同実施形態を示す側面図。
【図３】図２のＡ−Ａ線に沿った断面図。
【図４】同実施形態を示す平面図。
【図５】同実施形態を示す斜視図。
【図６】車両用シート装置を示す概略図。
【図７】本発明の第２の実施形態を示す側面図。
【図８】同実施形態を示す側面図。
【図９】図７のＢ−Ｂ線に沿った断面図。
【符号の説明】
【００５６】
１…車両用シート装置、３，３０…オットマン装置、５，６，３１，３２…取付ブラケット、１０…オットマン本体、１１，３３…リンク装置、１２…付勢手段としての引張りコイルスプリング、１３，１４…回動リンクとしての主回動リンク、１５，３６…副回動リンク、１６…第１揺動リンク、１７…第２揺動リンク、２１…ロック装置、２２，３８…トルクロッド、３７…付勢手段としてのトーションスプリング。
【図１】
2006198104.tif 000003
【図２】
2006198104.tif 000004
【図３】
2006198104.tif 000005
【図４】
2006198104.tif 000006
【図５】
2006198104.tif 000007
【図６】
2006198104.tif 000008
【図７】
2006198104.tif 000009
【図８】
2006198104.tif 000010
【図９】
2006198104.tif 000011